(57)【要約】【課題】ドーム型ハウスにおいて、天井の高い組立式家屋を提供する。【解決手段】本考案による組立式家屋は、左右両端面に嵌合部が形成されると共に上端面に段部が形成された矩形状の発泡スチロールからなる複数の周壁分割片と、下端面に段部が形成された略扇状の発泡スチロールからなる複数の屋根分割片と、換気口または採光口となるリング状の頂部ジョイントとを備え、頂部ジョイントに屋根分割片の上端部を嵌合させた状態で頂部ジョイントを要として複数の屋根分割片を集合させて接着することによりドーム状屋根が組み付けられ、嵌合部が相互に嵌合した状態で複数の周壁分割片を円状に並べて接着することにより円筒状の周壁が組み付けられ、周壁における周壁分割片の段部と屋根における屋根分割片の段部とを嵌合させて被せることにより周壁上に屋根を設けた。【選択図】図１
0003106590.tif 000002
【実用新案登録請求の範囲】
【請求項１】
左右両端面に嵌合部が形成されると共に上端面に段部が形成された矩形状の発泡スチロールからなる複数の周壁分割片と、下端面に段部が形成された略扇状の発泡スチロールからなる複数の屋根分割片と、換気口または採光口となるリング状の頂部ジョイントとを備え、
前記頂部ジョイントに前記屋根分割片の上端部を嵌合させた状態で頂部ジョイントを要として複数の前記屋根分割片を集合させて接着することによりドーム状屋根が組み付けられ、前記嵌合部が相互に嵌合した状態で複数の前記周壁分割片を円状に並べて接着することにより円筒状の周壁が組み付けられ、前記周壁における前記周壁分割片の段部と前記屋根における前記屋根分割片の段部とを嵌合させて被せることにより前記周壁上に前記屋根を設けたことを特徴とする組立式家屋。
【考案の詳細な説明】
【技術分野】
【０００１】
本考案は、発泡スチロールの分割片からなる組立式家屋に係り、より詳細には、天井を高くすることのできる組立式ドーム型ハウスに関する。
【背景技術】
【０００２】
発泡スチロールを構成材とする組立式ドーム型ハウスは、建設費がかさまず、耐久性があり、保温性や保冷性にも優れ、工事期間も短いことで知られる。（特許文献１参照）
このような組立式ドーム型ハウスの室内の高さは、ドームの形状が半球体であることから、ドーム設置面の直径でおのずと決まるものである。ドーム型ハウスの室内の天井を高くするには、ドーム設置面の直径を大きくするしかなかった。そのため、設置面積を増やさずに室内の天井を高くしたいとのニーズには応えられなかった。天井の高い家屋は、内部に中２階を設けたい場合や、大きな家具などを設置したい場合に有効である。
【特許文献１】国際公開番号ＷＯ０１／４４５９３
【考案の開示】
【考案が解決しようとする課題】
【０００３】
本考案の目的は、ドーム型ハウスの外観を大きくくずさずに、天井の高い組立式家屋を提供することにある。
【課題を解決するための手段】
【０００４】
上記の目的を達成するため、本考案による組立式家屋は、左右両端面に嵌合部が形成されると共に上端面に段部が形成された矩形状の発泡スチロールからなる複数の周壁分割片と、下端面に段部が形成された略扇状の発泡スチロールからなる複数の屋根分割片と、換気口または採光口となるリング状の頂部ジョイントとを備え、前記頂部ジョイントに前記屋根分割片の上端部を嵌合させた状態で頂部ジョイントを要として複数の前記屋根分割片を集合させて接着することによりドーム状屋根が組み付けられ、前記嵌合部が相互に嵌合した状態で複数の前記周壁分割片を円状に並べて接着することにより円筒状の周壁が組み付けられ、前記周壁における前記周壁分割片の段部と前記屋根における前記屋根分割片の段部とを嵌合させて被せることにより前記周壁上に前記屋根を設けたことを特徴とする。
【考案の効果】
【０００５】
本考案によれば、周壁分割片を円筒状に組み立てた周壁の上に、屋根分割片を集合させて組み立てた屋根をかぶせた構造であるから、（１）周壁の高さを適宜変更するだけで、組立式家屋の設置面積を増やすことなく、室内天井高さの高い家屋を提供することができる。（２）従来のドーム型ハウスの床面から天井まで連続した１枚のドーム片に比較して、分割片の形状が小さくできるから、扱い易く運搬が容易である。（３）屋根分割片には、庇を形成することができる。（４）直径が同一の家屋であれば、屋根はすべての家屋に共通になるから、コスト低減が図れる。
【考案を実施するための最良の形態】
【０００６】
以下、図面を参照して、本考案による組立式家屋について説明する。
【実施例１】
【０００７】
図ｌは本考案による発泡スチロール製の組立式家屋の斜視図である。図１（ａ）に示すように、組立式ドーム型ハウス１００は、半球体ではなく、きのこ型で、周壁１０が全体として円筒状を有している。周壁１０は、それぞれが発泡スチロール製で、湾曲した矩形状の複数の周壁分割片１１〜１９の９枚を集合したものである。また、屋根３０はお椀を逆さにしたような形状である。屋根３０は、それぞれが発泡スチロール製で、頂部から周辺に向けて分割された略扇形の９枚の屋根分割片３１〜３９からなる。屋根３０の頂部には頂部ジョイント２０が設けられ、屋根３０の上端をはめ込んで支える。屋根３０は、周壁１０の上にかぶせられる。周壁１０には玄関部ＰＴ、窓部ＷＤが取り付けられる。周壁の高さＨ１は標準の高さとしている。
【０００８】
図１（ｂ）に示すように、組立式ドーム型ハウス１００Ｈは、周壁１０Ｈの高さＨ２が、図１の周壁の高さＨ１より高く（Ｈ２＞Ｈ１）なるように形成している。これにより、天井の高い家屋が提供できる。また、屋根３０は、図１（ａ）と図１（ｂ）で共通にできる。
【０００９】
図２は、図１の組立式ドーム型ハウス１００の断面図である。発泡スチロールの厚さは、積雪の多い地方などによって異なるが、２０ｃｍ程度の厚みを有する。屋根３０の周縁は頂部より厚みを厚くして、積雪などの加重に耐えられるようにしている。屋根３０の頂部先端には、凸部ＴＭが設けられ、頂部ジョイント２０にはめ込まれる。屋根３０の下端部には、庇ＨＳが設けられる。庇は、窓部ＷＴなどに雨がかからないように機能する。庇ＨＳの内側の周縁には、分割周壁１１〜１９の段部ＳＴＳに嵌合する段部ＳＴＲが形成されている。両者は嵌合され接着される。周壁１０には、断面がＬ字形の基部ＤＢが設けられ、基礎４０にはめ込まれる。
【００１０】
図３は、組立式ドーム型ハウス１００の分解図である。図３に示すように、頂部ジョイント２０は円環状で、その側部の周囲には、屋根分割片３１〜３９の先端がはめ込める凹部が形成されている。屋根分割片３１〜３９は、その上端に、頂部ジョイント２０にはめ込むための凸部ＴＭがある。下端には庇ＨＳが形成され、庇ＨＳの内側には段部ＳＴＲがある。周壁１１〜１９は、上部に段部ＳＴＲに嵌合する段部ＳＴＳが形成され、基部ＤＢには基礎にはめ込めるようにＬ字形に曲がっている。
【００１１】
図４は、周壁分割片１１〜１９の嵌合部を示す断面図（図１のＩＶ−ＩＶ）である。図４（ａ）は嵌合部の第１の例である。図４（ａ）に示すように、各分割周壁１１〜１９の側端面には、互い違いに鉤部ＥＮ１および鉤部ＥＮ２が形成されている。図に示すように、例えば隣接する周壁分割片１１と１２と１３は、対向する鉤部ＥＮ１と鉤部ＥＮ２を互いに噛み合わせて、嵌合部ＫＧを構成し接着する。
【００１２】
図４（ｂ）は、嵌合部の第２の例である。図４（ｂ）に示すように、各分割周壁１１〜１９の側端面には、嵌合凹部ＲＳと嵌合凸部ＰＪが形成されている。図に示すように、隣接する周壁分割片１１と１２と１３は、対向するＲＳとＰＪを互いに噛み合わせて、嵌合部ＫＧＡを構成し接着する。
【００１３】
図４（ｃ）は、嵌合部の第３の例である。図４（ｃ）に示すように、各分割周壁１１〜１９の両側端面に、それぞれ互い違いに段部ＤＢ１、ＤＢ２が形成され、嵌合部ＫＧＢを構成している。段部ＤＢ１は、内周面側に突部ＰＲ１を形成したもので、段部ＤＢ２は外周面側に突部ＰＲ２を形成したものである。また、径方向接合面に、２組の小凹部ＳＲＳと小凸部ＳＰＪをそれぞれ設けたものである。
【００１４】
図４（ｄ）は、嵌合部の第４の例である。図４（ｄ）に示すように、各周壁分割片１１〜１９の両側端面に、それぞれ突合わせ突起ＰＴ１、ＰＴ２が形成されている。隣接する一対の周壁分割片１１と１２は、図に示すように、突合わせ突起ＰＴ１、ＰＴ２を接合し、内周凹部と外周凹部に接合プレートＳＰを嵌合してボルト締結している。
【００１５】
このような周壁の側端面の嵌合部形状によれば、接合面の面積が、平坦な面を互いに接合した場合より大きいから、外部から雨水などが内部の居住空間に侵入しにくくなっている。また、接合面積が大きいから接着強度も向上する。このような周壁分割片の嵌合部の形状は、屋根分割片の嵌合部にも同じように適用される。屋根分割片の嵌合部の詳細説明は省略する。
【００１６】
図５（ａ）は頂部ジョイントまわりの断面図、図５（ｂ）は頂部ジョイントの平面図である。頂部ジョイント２０は、内筒２２１と、外筒２２２と、内筒２２１内を十文字に仕切る仕切壁２２３と、内筒２２１と外筒２２２との間のリング状空間を仕切る仕切壁２２４と、内筒２２１と外筒２２２との間のリング状空間の上方部を閉鎖する上部つば２２５と、内筒２２１と外筒２２２との間のリング状空間の下方部を閉鎖する下部つば２２６とからなる。頂部ジョイントには換気具が設けられる。すなわち、内筒２２１が上部蓋２２５から突出しており、その内部が室内の換気口となる。内筒２２１には、空気は通すが、外部から雨などが居住空間に侵入しないように雨よけカバー２３が取り付けられる。
【００１７】
図５（ｃ）は屋根分割片３１〜３９の先端部分を示す斜視図である。図５（ｃ）に示すように、上部つば２２５と下部つば２２６とのなす凹部に、分割屋根３１〜３９の先端に形成された凸部ＴＭがはめ込まれて接着される。なお、頂部ジョイント２０をガラスで構成して採光口としても良い。この採光口は開閉できない。
【００１８】
地上で組み立てられた屋根３０は、クレーンでつり上げて周壁１０上に被せる。すなわち、庇ＨＳに形成した段部ＳＴＲを周壁１０の段部ＳＴＳに嵌合して接着する。このように、発泡スチロール製の組立式ドーム型ハウス１００が組み立てられる。
【実施例２】
【００１９】
図６は本考案による発泡スチロール製の組立式家屋の斜視図である。図６に示すように、組立式ドーム型ハウス１００Ａは、周壁１０Ａと屋根３０Ａとを備えている。周壁１０Ａは周壁分割片１１Ａ〜１９Ａからなる。屋根３０Ａは、屋根分割片３１Ａ〜３９Ａからなる。
図７は、組立式ドーム型ハウス１００Ａの断面図である。図７に示すように、周壁１０Ａが、図１に示した周壁１０と相違する点は上端部の段部形状で、周壁１０Ａの内周側に低い段部ＳＴＳを設けている。屋根３０Ａには、庇ＨＳを設けず、よりドーム型ハウスに近いものとしている。また、屋根分割片３１Ａ〜３９Ａの厚さは、天井から下端部にかけて同一である。屋根分割片３１Ａ〜３９Ａの下端部には、周壁１０Ａの段部ＳＴＳに対応した段部ＳＴＲが形成されている。その他の構造は図１と同様である。
このような構造において、周壁分割片１１Ａ〜１９Ａには、標準の高さもの（Ｈ１）と高さの高いもの（Ｈ２）を用意することにより、顧客の要望があれば、天井の高い家屋を提供できる。屋根３０Ａは共通である。なお、周壁分割片１１Ａ〜１９Ａは、高さ方向にさらに分割してもよい。
【産業上の利用可能性】
【００２０】
本考案の組立式家屋は、バンガローやテント以上に堅固であり、居住空間、店舗空間、各種の商業用空間を形成できるから、仮設住宅、簡易住宅、別荘、一般家屋、店舗などに幅広く適用できる。
【図面の簡単な説明】
【００２１】
【図１】本考案による発泡スチロール製の組立式家屋の斜視図である。（ａ）は周壁が標準の場合の組立式家屋である。（ｂ）は周壁が標準より高い場合の組立式家屋である。（実施例１）
【図２】図１の組立式ドーム型ハウス１００の断面図である。（実施例１）
【図３】図１の組立式ドーム型ハウス１００の分解図である。（実施例１）
【図４】周壁分割片１１〜１９の嵌合部を示す断面図である。（ａ）は互いに鉤部を有する嵌合の例である。（ｂ）は互いに凹部と凸部を有する嵌合の例である。（ｃ）は互いに段部を有する嵌合の例である。（ｄ）はボルト締結の例である。（実施例１）
【図５】（ａ）は頂部ジョイントまわりの断面図である。（ｂ）は頂部ジョイントの平面図である。（ｃ）は屋根分割片３１〜３９の上部の凸部を示す斜視図である。（実施例１）
【図６】本考案による発泡スチロール製の組立式家屋の斜視図である。（実施例２）
【図７】図６の組立式ドーム型ハウス１００Ａの断面図である。（実施例２）
【符号の説明】
【００２２】
１０    周壁
１０Ａ    周壁
１０Ｈ    高さのある周壁
１１〜１９    周壁分割片
１１Ａ〜１９Ａ    周壁分割片
２０    頂部ジョイント
２３    雨よけカバー
３０    屋根
３０Ａ    屋根
３１〜３９    屋根分割片
３１Ａ〜３９Ａ    屋根分割片
４０    基礎
１００    ドーム型ハウス（庇あり）
１００Ａ    ドーム型ハウス（庇なし）
１００Ｈ    背高のドーム型ハウス
２２１    内筒
２２２    外筒
２２３、２２４    仕切壁
２２５    上部つば
２２６    下部つば
ＤＢ    周壁のＬ字形基部
ＥＮ１、ＥＮ２    鉤部
ＨＳ    庇
Ｈ１、Ｈ２    周壁の高さ
ＤＢ１、ＤＢ２    段部
ＫＧ、ＫＧＡ、ＫＧＢ、ＫＧＣ    嵌合部
ＰＪ    嵌合凸部
ＰＲ１、ＰＲ２    突部
ＰＴ    玄関部
ＰＴ１、ＰＴ２    突合わせ突起
ＲＳ    嵌合凹部
ＳＲＳ、ＳＰＪ    小凸部
ＳＰ    接合プレート
ＳＴＲ    屋根分割片の段部
ＳＴＳ    周壁分割片の段部
ＴＭ    屋根分割片上端の凸部
ＷＤ    窓部
【図１】
0003106590.tif 000003
【図２】
0003106590.tif 000004
【図３】
0003106590.tif 000005
【図４】
0003106590.tif 000006
【図５】
0003106590.tif 000007
【図６】
0003106590.tif 000008
【図７】
0003106590.tif 000009